(57)【要約】【課題】高層の複数の階での消火作業において、放水銃の放水方向の変更に伴う作業員やオペレータの負担を軽減する消防自動車を提供する。【解決手段】放水銃８を配設したバスケット７を伸縮式梯子６の先端に取り付け、該放水銃８を梯子６の伸縮により前記バスケット７とともに昇降させる消防自動車１であって、前記伸縮式梯子６に沿って昇降するリフタ１０に消火設備１３（２０）を取り付け、バスケットからの放水による消火作業とは別に前記消火設備１３（２０）によりリフタ１０からの放水或いは消火液や消火用ガスの放出による消火作業を可能とした。【選択図】　図２
2004067324.tif 000002
【特許請求の範囲】
【請求項１】
放水銃を配置したバスケットを伸縮式梯子の先端に取り付け、該放水銃を梯子の伸縮により前記バスケットとともに昇降させる消防自動車であって、
前記伸縮式梯子に沿って昇降するリフタに消火設備を取り付け、バスケットからの放水による消火作業とは別に前記消火設備によりリフタからの放水或いは消火液や消火用ガスの放出による消火作業が可能であることを特徴とする消防自動車。
【発明の詳細な説明】
【０００１】
【発明の属する技術分野】
本発明は、伸縮式梯子（ブーム）の先端に放水銃を配置したバスケットを取り付けた消防自動車に関するものである。
【０００２】
【従来の技術】
伸縮式梯子（ブーム）の先端にバスケットを取り付けた消防自動車が出動して消火活動にあたる場合、火災現場が高層階であるときには、バスケットに作業員を乗せて梯子を伸長させ、このバスケットをビルの火災現場に接近させ、バスケットに乗った作業員がバスケットに配置した放水銃を操作して消火作業を行っている。また、バスケットに乗って火災現場に接近できない場合には、消防自動車の車体の操作部で伸縮式梯子（ブーム）を操作するオペレータが放水銃を操作して消火作業を行っている。
【０００３】
【発明が解決しようとする課題】
火災の現場が高層の複数の階であるときには、梯子（ブーム）の先端に取り付けたバスケット内の作業員やオペレータの経験と勘に頼って、最初に接近できた階から放水銃を操作して消火作業を行い、ある程度消火できた段階で別の階の消火作業を行っている。このような場合、消火作業を後回しにされた階では、火災が拡大して被害を大きくなってしまう。そのため、後回しにされた階の消火作業では、火点を的確に狙って放水を行わなければならないが、最初の放水を行った階から放水銃の放水方向を別の階の火点に向ける作業では、人の救助のためにバスケットの移動ができないこともあり、バスケット内からでは別の階の火点が確認しにくいため放水方向を見極めることが難しく、火点を的確に狙って放水を行うことは非常に困難であり、作業員やオペレータの負担が大きく改善が望まれていた。
【０００４】
本発明は、高層の複数の階での消火作業において、放水銃の放水方向の変更に伴う作業員やオペレータの負担を軽減する消防自動車を提供することを目的とする。
【０００５】
【課題を解決するための手段】
請求項１記載の発明は、放水銃を配置したバスケットを伸縮式梯子の先端に取り付け、該放水銃を梯子の伸縮により前記バスケットとともに昇降させる消防自動車であって、前記伸縮式梯子に沿って昇降するリフタに消火設備を取り付け、バスケットからの放水による消火作業とは別に前記消火設備によりリフタからの放水或いは消火液や消火用ガスの放出による消火作業が可能であることを特徴とする消防自動車である。
【０００６】
請求項１記載の消防自動車によれば、高層の複数の階での消火作業において、バスケット内の作業員が最初に接近できた階から放水銃を操作して放水しているときに、リフタ内の作業員は、リフタを自由に移動させて別の階の火点を確認しながら消火設備によりリフタからの放水ができ、バスケット内の作業員やオペレータの負担が軽減される。
【０００７】
【発明の実施の形態】
以下、図面を参照して本発明の実施形態を説明する。図１は本発明の第１の実施形態に係る消防自動車の側面図、図２は図１のリフタの平面図、図３は図２の側面図、図４は本発明の第２の実施形態に係るリフタの平面図、図５は本発明に係る消防自動車の使用状態を説明するための概略図である。
【０００８】
図１乃至図３において、消防用梯子車１は、車体２に縦軸中心に回転可能に取り付けられる旋回台３と、この旋回台３に横軸４中心に揺動可能に取り付けられる支持台５と、この支持台５に取り付けられる伸縮可能な梯子６とを備える。梯子６の先端に取り付けられるバスケット（高所作業用移動体）７は高所作業時に作業人が乗り込み可能とされている。バスケット７の側部には、バスケット７の前面方向を中心に放水するように放水銃８が取付けられて、高所作業時に、バスケット７の前面に設けた操作用キャビネット９のリモコン装置１１を操作して放水銃８の操作が可能とされている。尚、操作用キャビネット９に設けられているリモコン装置１１は取外しが可能であり、自由に取外して携帯できるようになっている。また、車体２には、座席Ｓを有する操作部１９が設けられ、オペレータが座席に座って梯子６の操作や放水銃８を操作して消火作業ができるようになっている。
【０００９】
また、梯子６にはリフタ１０が取り付けられ、梯子６に沿って昇降する。リフタ１０の側部には、梯子６の側の方向に放水するように放水銃１２が取付けられ、放水銃８によるバスケット７からの放水とは別に放水銃１２によりリフタ１０からの放水が可能になっている。即ち、リフタ１０に乗り込んだ作業人は、リフタ１０に設けた操作レバー１４で放水銃１２の放水方向を設定し、また、操作ノブ１５の放水開始操作、放水停止操作により、放水銃１２の操作が可能になっている。そして、放水銃８は梯子６とともに伸縮可能なホース（図示しない）に接続されて、車体２から消防用水の補給を受けて放水する。また、放水銃１２は、リフタ１０の底部に設けられた開閉扉１６を開いてリフタ１０内に引き込んだホース１３を放水銃１２の取付け部１７に接続してホース１３が取付けられている。ホース１３は、梯子６とともに伸縮可能であり、放水銃１２も放水銃８と同様に車体２から消防用水の補給を受けて放水するようになっている。
【００１０】
車体２から消防用水の補給力が弱い場合には、リフタ１０からの放水を行うとバスケット７からの放水が弱くなることがある。このような場合には、図４に示すように小型の消火設備２０を放水銃１２に接続して、放水銃１２から消火液や消火用ガス、或いは消火剤を泡にした消火液を放出させるようにしてもよい。そして、消火設備２０が消火液や消火用ガスを放出させる消火噴出ノズルを付属している構造で着脱可能であれば、放水銃１２を使用しなくてもよいし、必要に応じて取り外して高層階の消火作業のために作業員が持ち運んで使用してもよい。
【００１１】
また、リフタ１０が無人の状態での放水も可能で、この場合は、消防自動車の車体２の操作部１９で、伸縮式梯子（ブーム）６を操作するオペレータが、高層階の火災現場の状況をある程度把握できる場合であって、オペレータは火点を狙い操作部１９内のリモコン装置を操作して、放水銃１２の位置を上下左右に可動制御して、放水銃１２を制御することができる。
【００１２】
【発明の効果】
以上説明したように本発明によれば、高層の複数の階での消火作業において、バスケット内の作業員が最初に接近できた階から放水銃を操作して放水しているときに、リフタ内の作業員は、リフタを自由に移動させて別の階の火点を確認しながら消火設備によりリフタからの放水ができるので、バスケット内の作業員やオペレータの負担が軽減される。
【００１３】
したがって、高層の複数の階での１台の消防自動車での消火作業において、複数の放水銃をそれぞれ独立して操作して複数の階の消火作業を同じに行えるので、別の階の消火作業が後回しにされることも少なくなり、消火作業が後回しにされることで火災が拡大して被害を大きくする事態も防止でき、また、放水銃の放水方向を別の階の火点に向ける作業が削減されることにより、作業員やオペレータの負担が軽減され、消火活動を効率よく進めることができる。
【図面の簡単な説明】
【図１】本発明の実施形態に係る消防自動車の側面図である。
【図２】図１のリフタの平面図である。
【図３】図２の側面図である。
【図４】本発明の第２の実施形態に係るリフタの平面図である。
【図５】本発明に係る消防自動車の使用状態を説明するための概略図である。
【符号の説明】
１　消防自動車
２　車体
３　旋回台
４　横軸
５　支持台
６　梯子
７　バスケット
８，１２　放水銃
９　操作用キャビネット
１０　リフタ
１１　リモコン装置
１３　ホース
１４　操作レバー
１５　操作ノブ
１６　開閉扉
１７　放水銃の取付け部
１９　操作部
２０　消火設備
Ｓ　座席
【図１】
2004067324.tif 000003
【図２】
2004067324.tif 000004
【図３】
2004067324.tif 000005
【図４】
2004067324.tif 000006
【図５】
2004067324.tif 000007